(57)【要約】【課題】壁の強度が高く、簡便な作業のもとで効率的に構築可能な間仕切り壁およびその構築方法を提案する。【解決手段】一端が床に固定され、他端が天井に固定される少なくとも２本の柱材と、該柱材の一方からもう一方に差し渡され、かつ、該柱材の長手方向に沿う縦並び配列にて該柱材の相互間および床乃至天井の相互間に仕切り壁を形成する複数枚の壁板材とを備えた間仕切り壁において、該柱材は、該柱材の対向側壁にそれぞれその長手方向に沿って伸延する少なくとも１本の縦溝を有するものを用い、該壁板材は、両端が開放され該柱材の各縦溝に対面する縦溝を有するものを用い、該柱材と該壁板材とを、一端側が該柱材の縦溝に嵌合可能で、他端側が該壁板材の縦溝にそれぞれ嵌合可能であり、かつ、少なくとも該壁板材の１枚当たりの高さ寸法分だけ該柱材の長さよりも短い長さを有する第１の実継材を介して連結する。【選択図】図１
2018071206.tif 000002
【特許請求の範囲】
【請求項１】
一端が床に固定され、他端が天井に固定される少なくとも２本の柱材と、該柱材の一方からもう一方に差し渡され、かつ、該柱材の長手方向に沿う縦並び配列にて該柱材の相互間および床乃至天井の相互間に仕切り壁を形成する複数枚の壁板材とを備えた間仕切り壁であって、
該柱材は、該柱材の対向側壁にそれぞれその長手方向に沿って伸延する少なくとも１本の縦溝を有し、
該壁板材は、両端が開放され該柱材の各縦溝に対面する縦溝を有し、
該柱材と該壁板材とを、一端側が該柱材の縦溝に嵌合可能で、他端側が該壁板材の縦溝にそれぞれ嵌合可能な第１の実継材を介して連結してなり、
該第１の実継材は、少なくとも該壁板材の１枚当たりの高さ寸法分だけ該柱材の長さよりも短い長さを有することを特徴とする間仕切り壁。
【請求項２】
前記壁板材は、床側の端縁および天井側の端縁のそれぞれに、柱材の一方からもう一方に向けて伸延するとともに第２の実継材を嵌合させて上下に隣接配置される壁板材同士を相互に連結する少なくとも一本の横溝を有することを特徴とする請求項１に記載した間仕切り壁。
【請求項３】
前記柱材は、受け部材を介して前記床および前記天井にそれぞれ固定されるものであり、
該受部材は、締結手段を介して該床、該天井にそれぞれ連結されるベースと、該ベースに一体的につながり前記柱材の下端部、上端部にそれぞれ設けられた少なくとも１つの溝部に嵌合する舌片とを有することを特徴とする請求項１または２に記載した間仕切り壁。
【請求項４】
前記柱材は、矩形断面を有する木製部材からなり、前記壁板材は、前記柱材の長手方向に沿う寸法が短尺で、一方の柱材からもう一方の柱材に至るまでの寸法が長尺な矩形形状をなす木製部材からなることを特徴とする請求項１〜３のいずれか１項に記載した間仕切り壁。
【請求項５】
前記柱材と前記壁板材とを連結する第１の実継材は、単一部材または、長さ方向に分割された複数の短尺片からなることを特徴とする請求項１〜４のいずれか１項に記載した間仕切り壁。
【請求項６】
前記柱材と前記壁板材とを連結する第１の実継材は、該第１の実継材に着脱自在に嵌合し、下端が前記壁板材の天井側の端縁に当接する一方、上端が該壁板材の上方に位置する別の壁板材の床側の端縁に当接してその相互間に開口部を形成するスペーサを有する請求項１〜５のいずれか１項に記載した間仕切り壁。
【請求項７】
請求項１に記載した間仕切り壁を構築するに当たり、
少なくとも２本の柱材を相互に間隔を隔てて配置し、該柱材の一端を受け部材を介して床に固定する一方、該柱材の他端を受け部材を介して天井に固定し、
次いで該柱材の縦溝に第１の実継材の一端側を嵌合させ、
さらに、該第１の実継材の上端部に壁板材を位置せしめてその縦溝に該第１の実継材の他端側を挿通、嵌合させて該壁板材そのものを床側に向けて落とし込み、これを該第１の実継材の上端に至るまで繰り返し行うことを特徴とする間仕切り壁の構築方法。
【請求項８】
請求項２に記載した間仕切り壁を構築するに当たり、
少なくとも２本の柱材を相互に間隔を隔てて配置し、該柱材の一端を受け部材を介して床に固定する一方、該柱材の他端を受け部材を介して天井に固定し、
次いで該柱材の縦溝に第１の実継材の一端側を嵌合させ、
さらに、該第１の実継材の上端部に壁板材を位置せしめてその縦溝に該第１の実継材の他端側を挿通、嵌合させて該壁板材そのものを床側に向けて落とし込むとともにその落とし込んだ壁板材の床側の端縁に位置する横溝に第２の実継材の一端側を、また、天井側の端縁に位置する横溝に該第２の実継材とは別個に配置される第２の実継材の他端側をそれぞれ嵌合させ、これを該第１の実継材の上端に至るまで繰り返し行うことを特徴とする間仕切り壁の構築方法。
【請求項９】
前記壁板材を床側に向けて落とし込むに先立ち、前記第１の実継材の他端側にスペーサを装着することを特徴とする請求項７または８に記載した間仕切り壁の構築方法。
【発明の詳細な説明】
【技術分野】
【０００１】
本発明は、室内を所要の広さに仕切るのに好適な間仕切り壁およびその構築方法に関するものである。
【背景技術】
【０００２】
従来の間仕切り壁は、天井に取り付けられる笠木と、床に取り付けられる巾木と、その相互間で支持される仕切りパネルによって構成されているのが普通である。
【０００３】
ところで、かかる間仕切り壁は、仕切りパネルの支持が笠木と巾木によって支持されているのにすぎないことから間仕切り壁の固定強度が高いとはいえない。また、仕切りパネルのサイズも大きいものが多く、しかも、その重量も重いことから、構成部材の運搬や間仕切り壁の組み立てを効率的に行うことができない不具合を有している。
【０００４】
この点に関する先行技術として、例えば、特許文献１には、両辺に第１嵌合部を有する第１パネルと、両辺に第２嵌合部を有する第２パネルと、該第１嵌合部、第２嵌合部に嵌合する第３嵌合部を有する支柱とを備え、第１嵌合部及び第２嵌合部の少なくとも一部が第３嵌合部に挿入するか、あるいは、第３嵌合部の少なくとも一部が第１嵌合部及び第２嵌合部に挿入することによって嵌合させることによって構成される間仕切り壁が提案されている。
【先行技術文献】
【特許文献】
【０００５】
【特許文献１】特開２０１０−９５８８６号公報
【０００６】
上記特許文献１は、パネルが第１パネルと第２パネルで構成されており、第１パネル、第２パネルを同じ支柱を介して固定するものであることから、構成部材の運搬が比較的容易であり、パネル（壁）の強度も十分に高めることができるとされていた。しかしながら、支柱を用いたこの種の間仕切り壁は、一方の支柱にパネルを組み付けたのち、もう一方の支柱でパネルを挟み込んで固定するのが一般的であり、支柱の固定を終えるまでは、パネルの姿勢が不安定にならざるを得ず、作業負担が大きく、効率的な組み立てが行えるとはいえないものであった。
【発明の概要】
【発明が解決しようとする課題】
【０００７】
本発明は、高い強度（固定強度）を確保することが可能であり、かつ、簡便な作業のもとで効率的に構築することができる間仕切り壁およびその構築方法を提案するところにある。
【課題を解決するための手段】
【０００８】
本発明は、一端が床に固定され、他端が天井に固定される少なくとも２本の柱材と、該柱材の一方からもう一方に差し渡され、かつ、該柱材の長手方向に沿う縦並び配列にて該柱材の相互間および床乃至天井の相互間に仕切り壁を形成する複数枚の壁板材とを備えた間仕切り壁であって、該柱材は、該柱材の対向側壁にそれぞれその長手方向に沿って伸延する少なくとも１本の縦溝を有し、該壁板材は、両端が開放され該柱材の各縦溝に対面する縦溝を有し、該柱材と該壁板材とを、一端側が該柱材の縦溝に嵌合可能で、他端側が該壁板材の縦溝にそれぞれ嵌合可能な第１の実継材を介して連結してなり、該第１の実継材は、少なくとも該壁板材の１枚当たりの高さ寸法だけ該柱材の長さよりも短い長さを有することを特徴とする間仕切り壁である。
【０００９】
上記の構成からなる間仕切り壁において、前記壁板材は、床側の端縁および天井側の端縁のそれぞれに、柱材の一方からもう一方に向けて伸延するとともに第２の実継材を嵌合させて上下に隣接配置される壁板材同士を相互に連結する少なくとも一本の横溝を有すること、また、前記柱材は、受け部材を介して前記床および前記天井にそれぞれ固定されるものであって、該受部材を、締結手段を介して該床、該天井にそれぞれ連結されるベースと、該ベースに一体的につながり前記柱材の下端部、上端部にそれぞれ設けられた少なくとも１つの溝部に嵌合する舌片から構成すること、また、前記柱材は、矩形断面を有する木製部材からなり、前記壁板材は、前記柱材の長手方向に沿う寸法が短尺で、一方の柱材からもう一方の柱材に至るまでの寸法が長尺な矩形形状をなす木製部材からなること、また、前記柱材と前記壁板材とを連結する第１の実継材は、単一部材または、長さ方向に分断された複数の短尺片からなること、さらに、前記柱材と前記壁板材とを連結する第１の実継材は、該第１の実継材に着脱自在に嵌合し、下端が前記壁板材の天井側の端縁に当接する一方、上端が該壁板材の上方に位置する別の壁板材の床側の端縁に当接してその相互間に開口部を形成するスペーサを有すること、が課題解決のための具体的手段として好ましい。
【００１０】
また、本発明は、間仕切り壁を構築するに当たり、少なくとも２本の柱材を相互に間隔を隔てて配置し、該柱材の一端を受け部材を介して床に固定する一方、該柱材の他端を受け部材を介して天井に固定し、次いで該柱材の縦溝に第１の実継材の一端側を嵌合させ、さらに、該第１の実継材の上端部に壁板材を位置せしめてその縦溝に該第１の実継材の他端側を挿通、嵌合させて該壁板材そのものを床側に向けて落とし込み、これを該第１の実継材の上端に至るまで繰り返し行うことを特徴とする間仕切り壁の構築方法である。
【００１１】
また、本発明は、間仕切り壁を構築するに当たり、少なくとも２本の柱材を相互に間隔を隔てて配置し、該柱材の一端を受け部材を介して床に固定する一方、該柱材の他端を受け部材を介して天井に固定し、次いで該柱材の縦溝に第１の実継材の一端側を嵌合させ、さらに、該第１の実継材の上端部に壁板材を位置せしめてその縦溝に該第１の実継材の他端側を挿通、嵌合させ、該壁板材そのものを床側に向けて落とし込むとともにその落とし込んだ壁板材の床側の端縁に位置する横溝に第２の実継材の一端側を、また、天井側の端縁に位置する横溝に該第２の実継材とは別個に配置される第２の実継材の他端側をそれぞれ嵌合させ、これを該第１の実継材の上端に至るまで繰り返し行うことを特徴とする間仕切り壁の構築方法である。
【００１２】
上記の構築方法において、前記壁板材を床側に向けて落とし込むに先立ち、前記第１の実継材の他端側にスペーサを装着することが好ましい。
【発明の効果】
【００１３】
本発明の間仕切り壁は、壁板材の両端を柱材に連結して固定するものであり、壁の強度が高い。
【００１４】
また、本発明の間仕切り壁は、固定された柱材の相互間に壁板材を順次に床側に向けて落とし込み、縦並び配列とすることによって構築されるものであり、作業負担の軽減、作業性の改善を図ることができる。
【００１５】
さらに、本発明の間仕切り壁は、壁の下端、上端あるいは、中間領域等任意の位置に開口部を設けることができ、開口部の多様なレイアウトが可能となる。
【図面の簡単な説明】
【００１６】
【図１】本発明にしたがう間仕切り壁の実施の形態を模式的に示した外観斜視図である。
【図２】図１に示した間仕切り壁の分解状態を示した外観斜視図である。
【図３】図１に示した間仕切り壁の正面を示した図である。
【図４】（ａ）は、図３のＡ−Ａ断面を示した図であり、（ｂ）は、図３のＢ−Ｂ断面を示した図である。
【図５】本発明にしたがう間仕切り壁の構築要領を示した図である。
【図６】スペーサの外観を模式的に示した斜視図である。
【図７】本発明にしたがう間仕切り壁の他の実施の形態をその正面について示した図である。
【図８】図７に示した間仕切り壁の要部外観斜視図である。
【図９】本発明にしたがう間仕切り壁のさらに他の実施形態を要部について示した図であり、（ａ）は、スペーサとしてフラットバーを用いた例を示した図であり、（ｂ）は、スペーサとして対向側壁に溝を設けた棒状部材を用いた例を示した図である。
【発明を実施するための形態】
【００１７】
以下、図面を用いて本発明をより具体的に説明する。
図１は、本発明にしたがう間仕切り壁の実施の形態を模式的に示した外観斜視図であり（天井は図示せず）、図２は、図１に示した間仕切り壁の分解状態を示した外観斜視図であり、また、図３は、図１に示した間仕切り壁の正面を示した図であり、さらに図４（ａ）は、図３のＡ−Ａ断面、（ｂ）は、Ｂ−Ｂ断面を示した図である。なお、図１〜４においては、２本の柱材の相互間に壁板材を配列させて間仕切り壁を構築したものを例として示したが、柱材の本数や壁板材の枚数は任意に増減することが可能であり図示のものに限定されない。
【００１８】
図１〜４における符号１、２は、一端が床に固定され、他端が天井に固定された柱材である。柱材１、２としては、例えば９０ｍｍ×９０ｍｍの矩形断面をなす杉あるいは檜等の木製部材が適用されるが、柱部材１、２のサイズや材質についてはとくに限定されない。
【００１９】
また、３は、柱材１から柱材２に差し渡され、柱材１、２の長手方向に沿う縦並び配列にて柱材１、２の相互間および床乃至天井の相互間に仕切り壁を形成する壁板材である。
【００２０】
壁板材３は、柱材１、２の長手方向に沿う寸法Ｗ（１枚当たりの高さ寸法）が短尺で、柱材１から柱材２に至るまでの寸法Ｌ（長さ寸法）が長尺な矩形形状をなす杉、檜等の木製部材（無垢材）が適用される。具体的には、９０ｍｍ×９０ｍｍの柱材１、２を用いる場合には、厚さ３０ｍｍ程度、高さ寸法Ｗが２１０ｍｍ程度、長さ寸法Ｌがｆｒｅｅ（ここでいうｆｒｅｅとは、柱材の間隔に応じてその寸法が任意に設定されることを意味する）のものが用いられる。
【００２１】
また、４は、柱材１の側壁に設けられその長手方向に沿って伸延する縦溝、５は、柱材２の側壁に設けられその長手方向に沿って伸延する縦溝である。縦溝４、５は、柱材１、２の対向側壁に形成されている。
【００２２】
また、６、７は、壁板材３の長さ方向の両端面にそれぞれ設けられた縦溝である（図４（ａ）参照）。この縦溝６、７は、両端（上下端）が開放された通し溝になっている。
【００２３】
また、８、９は、矩形形状をなす偏平で細長い板状の第１の実継材ある。第１の実継材８、９は、一端側８ａ、９ａが柱材１、２の縦溝４、５に嵌合可能になっている一方、対向する他端側８ｂ、９ｂが壁板材３の縦溝６、７に嵌合可能になっており、この第１の実継材８、９を介して壁板材３を柱材１、２に連結することができるようになっている。
【００２４】
第１の実継材８、９の長さｈ（図２、３参照）は、少なくとも壁板材３の１枚当たりの高さ寸法Ｗ（図３参照）分だけ柱材１、２の長さＨ（図２、３参照）よりも短く設定されており、これにより第１の実継材８、９の上端から天井に至るまでの間で壁板材３の組み付けスペースＭを確保している。なお、第１の実継材８、９の長さｈは、組み付けスペースＭの拡大を図る観点から、壁板材３の１枚当たりの高さ寸法Ｗを超えて短縮させておいてもよい。９０ｍｍ×９０ｍｍの柱材１、２を用いる場合に、第１の実継材８、９の幅寸法ｅ（図２参照）については、３７ｍｍ程度、厚さはほぼ４ｍｍ程度に設定するのが好ましい。
【００２５】
また、１０は、壁板材３の床側の端縁（下面）の全長にわたって設けられた横溝（図４参照）、１１は、壁板材３の天井側の端縁（上面）の全長にわたって設けられた横溝である。この横溝１０、１１は、柱材１、柱材２の相互間で伸延する。
【００２６】
また、符号１２は、矩形形状をなす偏平で細長い板状の第２の実継材である（図２、図４（ｂ）参照）。この第２の実継材１２は、その一端側１２ａが壁板材３の横溝１１に嵌合し、対向位置の他端側１２ｂが壁板材３の横溝１０に嵌合するものであって、上下に隣接配置する壁板材３は、この第２の実継材１２を介して相互に連結されて縦並び配列を構成する。第２の実継材１２は、木製部材、金属製部材あるいはアクリル等の合成樹脂製部材からなるものを適用することができる。
【００２７】
第２の実継材１２としては、厚さ３０ｍｍ、高さ寸法Ｗ２１０ｍｍの壁板材３を適用する場合には、厚さ４ｍｍ程度、高さ寸法３７ｍｍ程度に設定される（長さはｆｒｅｅ）が、本発明は、この数値にのみ限定されることない。
【００２８】
また、１３は、Ｕ字形状をなす受け部材（鋼鉄等の金属製部材）である。受け部材１３は、柱材１、２を床、天井に固定するものであり、ビスや釘の如き締結手段（図示せず）を介して床、天井にそれぞれ連結されるベース１３ａと、ベース１３ａの対向する端縁に一体的につながり、柱材１、２の下端部、上端部に形成された溝部１ａ、１ｂ、２ａ、２ｂ（図１、図２参照）に嵌合する舌片１３ｂから構成されている。
【００２９】
受け部材１３は、ここでは、一対の舌片１３ｂを有するものを例として示したが、該舌片１３ｂは、ベース１３ａの中央部分において起立する単一のものとしてもよく、この場合、柱材１、２の下端部、上端部には単一の溝部が設けられる。９０ｍｍ×９０ｍｍの柱材１、２を固定するには、幅寸法９０ｍｍ程度、幅寸法４５ｍｍ程度、長さ寸法９０ｍｍ、高さ寸法４５ｍｍ程度のものが用いられる。
【００３０】
図５は、本発明にしたがう間仕切り壁の構築要領を図解したものである。上記の如き構成からなる間仕切り壁を構築するには、まず、受け部材１３を床、天井の所望の位置に固定し、該受け部材１３の舌片１３ｂを柱材１、２の上端部、下端部に形成された溝１ａ、１ｂ、２ａ、２ｂに嵌入（スライドによる）させて該柱材１、２を床乃至天井の相互間で固定する。
【００３１】
そして、次に、柱材１、２の縦溝４、５に第１の実継材８、９の一端側８ａ、９ａを嵌合させ、さらに、該第１の実継材８、９の上端部に該柱材１、２の相互間に差し渡すべき壁板材３を位置せしめてその縦溝６、７に第１の実継材８、９の他端側８ｂ、９ｂを挿通、嵌合させて該壁板材３そのものを床側に向けて落とし込むとともにその落とし込んだ壁板材３の床側の端縁の横溝１０に第２の実継材１２の一端側１２ｂを、また、天井側の端縁の横溝１１に別個に配置される第２の実継材１２の他端側１２ａをそれぞれ嵌合させ、この一連の作業を該第１の実継材８、９の上端に至るまで繰り返し行う。これによって室内を所要の広さに仕切る間仕切り壁が構築されることとなる。なお、柱材１、２を床乃至天井の相互間に固定するに当たって受け部材１３の舌片１３ｂを柱材１、２の溝１ａ、１ｂ、２ａ、２ｂに嵌入させたのちにおいては、柱材１、２の、舌片１３ｂに沿うスライドを防止するために位置決め用のストッパー等が設けられる（図示せず）。
【００３２】
本発明にしたがう間仕切り壁は、第１の実継材８、９の長さｈ（図２、３参照）が、少なくとも壁板材３の１枚当たりの高さ寸法Ｗだけ柱材１、２の長さよりも短縮されたものであるから、第１の実継材８、９の上端から天井に至るまでの間にはスペースＭ（図１参照）が形成されることになるが、このスペースＭは、間仕切り壁が構築されたのちは、明り取り用の開口部として機能させることができる。
【００３３】
なお、スペースＭには、縦溝４、５を利用して多少の曲げ変形が可能なるアクリル板の如き合成樹脂製の幕板材（透明、半透明、不透明なもの等）を嵌め込むことも可能である。
【００３４】
本発明にしたがう間仕切り壁は、上述のように、柱材１、２を床乃至天井の相互間に予め固定し、その状態を維持したまま、壁板材３を第１の実継材８、９に沿わせて順次天井側から床側に向けて落とし込んでいくだけの簡単な作業で強度の高い間仕切り壁を構築することができる。
【００３５】
図６は、第１の実継材８、９の他端側８ｂ、９ｂに着脱自在なスペーサ１４を模式的に示した図であり、図７は、上掲図１〜５に示した構成の間仕切り壁において柱材１５をさらに追加するとともに図６に示した如きスペーサ１４を使用して構築された、本発明にしたがう間仕切り壁の他の実施の形態をその正面について模式的に示した図であり、さらに図８は、図７に示した間仕切り壁の要部の外観斜視図である。
【００３６】
なお、図７に示した間仕切り壁は、柱材２の側壁につき、縦溝５が設けられた対向側壁に縦溝５′が設けられており（図８参照）、この縦溝５′に第１の実継材８を嵌合させて壁板材３を柱材２および柱材１５の間に連結するものである。
【００３７】
スペーサ１４は、具体的には、第１の実継材８、９の他端側８ｂ、９ｂに嵌合可能な凹部１４ａを有し、その下端１４ｂが壁板材３の天井側の端縁の一部分に当接可能で、上端１４ｃがその上方に位置する別の壁板材３の床側の端縁に当接可能な棒状体からなるものを用いることが可能であり、壁板材３を床側に向けて落とし込むに先立ち、第１の実継材８、９の他端側８ｂ、９ｂにスペーサ１４を装着することにより図７、８に示すように、壁の任意の位置に開口部１６、１７を設けるものである。
【００３８】
スペーサ１４の長さについては、目的とするサイズの開口部１６、１７に応じて任意に変更される。なお、本発明では、スペーサ１４として凹部１４ａを設けたコ字状断面を有する棒状体からなるものを例として示したが、第１の実継材８、９の他端側８ｂ、９ｂへの着脱が可能で、壁板材３の相互間で該壁板材３を確実に支持できるものであれば例えば図９（ａ）に示すようなフラットバー（第１の実継材８と同様のもの等）で構成されたスペーサ１４あるいは図９（ｂ）に示すような対向側壁に凹部１４ａ、１４ｄを設けたスペーサ１４等を用いてもよく、その形状、構造は任意に変更することができる。スペーサ１４は、木製部材や金属製部材あるいは合成樹脂製部材で構成することが可能であり、その材質はとくに限定されない。
【００３９】
第１の実継材８、９については、部材点数を減らす観点から、単一部材（一本もの）とするのが好ましい。しかし、第１の実継材８、９を壁板材３の枚数を同じ数に分割した短尺材を組み合わせた構造としてもよく、この場合、床側から天井側に向けて順次壁板材３を配置することができる（壁板材の床側への落とし込み作業が不要となる）。
【００４０】
また、壁板材３の相互間に配置される第２の実継材１２についてはその設置を省略してもよい。
【産業上の利用可能性】
【００４１】
本発明によれば、壁の強度が高く、簡便な作業のもとで効率的な構築が可能な間仕切り壁およびその構築方法が提供できる。
【符号の説明】
【００４２】
１、２  柱材
３  壁板材
４、５、５′  縦溝
６、７  縦溝
８、９  第１の実継材
１０、１１  横溝
１２  第２の実継材
１３  受け部材
１４  スペーサ
１５  柱材
１６、１７  開口部
【図１】
2018071206.tif 000003
【図２】
2018071206.tif 000004
【図３】
2018071206.tif 000005
【図４】
2018071206.tif 000006
【図５】
2018071206.tif 000007
【図６】
2018071206.tif 000008
【図７】
2018071206.tif 000009
【図８】
2018071206.tif 000010
【図９】
2018071206.tif 000011
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
一端が床に固定され、他端が天井に固定される少なくとも２本の柱材と、該柱材の一方からもう一方に差し渡され、かつ、該柱材の長手方向に沿う縦並び配列にて該柱材の相互間および床乃至天井の相互間に仕切り壁を形成する複数枚の壁板材とを備えた間仕切り壁であって、
該柱材は、該柱材の対向側壁にそれぞれその長手方向に沿って伸延する少なくとも１本の縦溝を有し、
該壁板材は、両端が開放され該柱材の各縦溝に対面する縦溝を有し、
該柱材と該壁板材とを、一端側が該柱材の縦溝に嵌合可能で、他端側が該壁板材の縦溝にそれぞれ嵌合可能な第１の実継材を介して連結してなり、
該第１の実継材は、少なくとも該壁板材の１枚当たりの高さ寸法分だけ該柱材の長さよりも短い長さを有することを特徴とする間仕切り壁。
【請求項２】
前記壁板材は、床側の端縁および天井側の端縁のそれぞれに、柱材の一方からもう一方に向けて伸延するとともに第２の実継材を嵌合させて上下に隣接配置される壁板材同士を相互に連結する少なくとも一本の横溝を有することを特徴とする請求項１に記載した間仕切り壁。
【請求項３】
前記柱材は、受け部材を介して前記床および前記天井にそれぞれ固定されるものであり、
該受け部材は、締結手段を介して該床、該天井にそれぞれ連結されるベースと、該ベースに一体的につながり前記柱材の下端部、上端部にそれぞれ設けられた少なくとも１つの溝部に嵌合する舌片とを有することを特徴とする請求項１または２に記載した間仕切り壁。
【請求項４】
前記柱材は、矩形断面を有する木製部材からなり、前記壁板材は、前記柱材の長手方向に沿う寸法が短尺で、一方の柱材からもう一方の柱材に至るまでの寸法が長尺な矩形形状をなす木製部材からなることを特徴とする請求項１〜３のいずれか１項に記載した間仕切り壁。
【請求項５】
前記柱材と前記壁板材とを連結する第１の実継材は、単一部材または、長さ方向に分割された複数の短尺片からなることを特徴とする請求項１〜４のいずれか１項に記載した間仕切り壁。
【請求項６】
前記柱材と前記壁板材とを連結する第１の実継材は、該第１の実継材に着脱自在に嵌合し、下端が前記壁板材の天井側の端縁に当接する一方、上端が該壁板材の上方に位置する別の壁板材の床側の端縁に当接してその相互間に開口部を形成するスペーサを有する請求項１〜５のいずれか１項に記載した間仕切り壁。
【請求項７】
請求項１に記載した間仕切り壁を構築するに当たり、
少なくとも２本の柱材を相互に間隔を隔てて配置し、該柱材の一端を受け部材を介して床に固定する一方、該柱材の他端を受け部材を介して天井に固定し、
次いで該柱材の縦溝に第１の実継材の一端側を嵌合させ、
さらに、該第１の実継材の上端部に壁板材を位置せしめてその縦溝に該第１の実継材の他端側を挿通、嵌合させて該壁板材そのものを床側に向けて落とし込み、これを該第１の実継材の上端に至るまで繰り返し行うことを特徴とする間仕切り壁の構築方法。
【請求項８】
請求項２に記載した間仕切り壁を構築するに当たり、
少なくとも２本の柱材を相互に間隔を隔てて配置し、該柱材の一端を受け部材を介して床に固定する一方、該柱材の他端を受け部材を介して天井に固定し、
次いで該柱材の縦溝に第１の実継材の一端側を嵌合させ、
さらに、該第１の実継材の上端部に壁板材を位置せしめてその縦溝に該第１の実継材の他端側を挿通、嵌合させて該壁板材そのものを床側に向けて落とし込むとともにその落とし込んだ壁板材の床側の端縁に位置する横溝に第２の実継材の一端側を、また、天井側の端縁に位置する横溝に該第２の実継材とは別個に配置される第２の実継材の他端側をそれぞれ嵌合させ、これを該第１の実継材の上端に至るまで繰り返し行うことを特徴とする間仕切り壁の構築方法。
【請求項９】
前記壁板材を床に向けて落とし込むに先立ち、前記第１の実継材の他端側にスペーサを装着することを特徴とする請求項７または８に記載した間仕切り壁の構築方法。
【手続補正２】
【補正対象書類名】明細書
【補正対象項目名】０００９
【補正方法】変更
【補正の内容】
【０００９】
上記の構成からなる間仕切り壁において、前記壁板材は、床側の端縁および天井側の端縁のそれぞれに、柱材の一方からもう一方に向けて伸延するとともに第２の実継手を嵌合させて上下に隣接配置される壁板材同士を相互に連結する少なくとも一本の横溝を有すること、また、前記柱材は、受け部材を介して前記床および前記天井にそれぞれ固定されるものであって、該受け部材を、締結手段を介して該床、該天井にそれぞれ連結されるベースと、該ベースに一体的につながり前記柱材の下端部、上端部にそれぞれ設けられた少なくとも１つの溝部に嵌合する舌片から構成すること、また、前記柱材は、矩形断面を有する木製部材からなり、前記壁板材は、前記柱材の長手方向に沿う寸法が短尺で、一方の柱材からもう一方の柱材に至るまでの寸法が長尺な矩形形状をなす木製部材からなること、また、前記柱材と前記壁板材とを連結する第１の実継材は、単一部材または、長さ方向に分断された複数の短尺片からなること、さらに、前記柱材と前記壁板材とを連結する第１の実継材は、該第１の実継材に着脱自在に嵌合し、下端が前記壁板材の天井側の端縁に当接する一方、上端が該壁板材の上方に位置する別の壁板材の床側の端縁に当接してその相互間に開口部を形成するスペーサを有すること、が課題解決のための具体的手段として好ましい。
【手続補正３】
【補正対象書類名】明細書
【補正対象項目名】００３３
【補正方法】変更
【補正の内容】
【００３３】
なお、スペースＭには、縦溝４、５を利用して多少の曲げ変形が可能なアクリル板の如き合成樹脂製の幕板材（透明、半透明、不透明なもの等）を嵌め込むことも可能である。